【手続補正書】
【提出日】平成20年1月25日(2008.1.25)
【手続補正１】
【補正対象書類名】明細書
【補正対象項目名】発明の名称
【補正方法】変更
【補正の内容】
【発明の名称】記録ヘッド及び記録ヘッドの駆動方法
【手続補正２】
【補正対象書類名】明細書
【補正対象項目名】特許請求の範囲
【補正方法】変更
【補正の内容】
【特許請求の範囲】
【請求項１】  記録を行うための複数列に配された複数の記録素子と、
同時に駆動可能な前記複数の記録素子を単位とするブロックを選択するための選択信号を出力するブロック選択回路と、
前記選択信号と共に前記記録素子を選択駆動するための駆動信号を、画像データに対応して各記録素子に出力する前記複数列毎に対応して設けられた複数の記録制御回路と、
前記記録制御回路に入力するための画像データを外部から受け取るための入力手段とを有し、
前記入力手段は、前記複数列毎に対応しシリアル接続された複数のシフトレジスタを含み、前記画像データと前記ブロック選択回路に入力されるブロック選択データとを連続した複数ビットのバス形式で受け取るように構成されていることを特徴とする記録ヘッド。
【請求項２】  前記入力手段は、前記画像データを複数の信号線でパラレルに受け取るように構成されていることを特徴とする請求項１に記載の記録ヘッド。
【請求項３】  前記入力手段は、データを４ビット単位で受け取るように構成されていることを特徴とする請求項１又は２に記載の記録ヘッド。
【請求項４】  記録を行うための複数列に配された複数の記録素子と、
同時に駆動可能な前記複数の記録素子を単位とするブロックを選択するための選択信号を出力するブロック選択回路と、
前記選択信号と共に前記記録素子を選択駆動するための駆動信号を、画像データに対応して各記録素子に出力する前記複数列毎に対応して設けられた複数の記録制御回路と、
前記記録制御回路に入力するための画像データを外部から受け取るための入力手段とを有し、
前記入力手段は、前記複数列毎に対応しシリアル接続された複数のシフトレジスタを含み、前記画像データに連続して記録素子の駆動タイミングに関するデータを受け取るように構成され、前記駆動タイミングに関するデータに応じて、記録素子の駆動時間が設定されることを特徴とする記録ヘッド。
【請求項５】  前記入力手段は、前記画像データと共に前記ブロック選択回路に入力されるデータを受け取るように構成されていることを特徴とする請求項４に記載の記録ヘッド。
【請求項６】  前記入力手段は、前記画像データと前記ブロック選択回路に入力されるデータとを連続して受け取るように構成されていることを特徴とする請求項５に記載の記録ヘッド。
【請求項７】  前記ブロック選択回路は、デコーダを含むことを特徴とする請求項１乃至６のいずれか１項に記載の記録ヘッド。
【請求項８】  前記記録素子は、熱エネルギーを利用して記録を行うことを特徴とする請求項１乃至７のいずれか１項に記載の記録ヘッド。
【請求項９】  前記記録素子は、インクを吐出して記録を行うことを特徴とする請求項１乃至８のいずれか１項に記載の記録ヘッド。
【請求項１０】  記録を行うための複数列に配された複数の記録素子と、同時に駆動可能な前記複数の記録素子を単位とするブロックを選択するための選択信号を出力するブロック選択回路と、前記選択信号と共に前記記録素子を選択駆動するための駆動信号を、画像データに対応して各記録素子に出力する前記複数列毎に対応して設けられた複数の記録制御回路と、前記記録制御回路に入力するための画像データを外部から受け取るための、前記複数列毎に対応しシリアル接続された複数のシフトレジスタを含んだ、入力手段とを有する記録ヘッドの駆動方法であって、
前記入力手段によって外部から前記画像データと前記ブロック選択回路に入力されるブロック選択データとを連続した複数ビットのバス形式で受け取り、前記記録制御回路によって前記ブロック選択回路が選択したブロックの記録素子を前記画像データに対応して駆動することを特徴とする記録ヘッドの駆動方法。
【請求項１１】  前記入力手段によって、前記画像データを複数の信号線でパラレルに受け取ることを特徴とする請求項１０に記載の記録ヘッドの駆動方法。
【請求項１２】  前記入力手段によって、データを４ビット単位で受け取ることを特徴とする請求項１０又は１１に記載の記録ヘッドの駆動方法。
【請求項１３】  記録を行うための複数列に配された複数の記録素子と、同時に駆動可能な前記複数の記録素子を単位とするブロックを選択するための選択信号を出力するブロック選択回路と、前記選択信号と共に前記記録素子を選択駆動するための駆動信号を、画像データに対応して各記録素子に出力する前記複数列毎に対応して設けられた複数の記録制御回路と、前記記録制御回路に入力するための画像データを外部から受け取るための、前記複数列毎に対応しシリアル接続された複数のシフトレジスタを含んだ、入力手段とを有する記録ヘッドの駆動方法であって、
前記入力手段によって前記画像データに連続して記録素子の駆動タイミングに関するデータを受け取り、前記駆動タイミングに関するデータに応じて、前記記録素子の駆動時間を設定し、前記記録制御回路によって前記ブロック選択回路が選択したブロックの記録素子を前記画像データに対応して駆動することを特徴とする記録ヘッドの駆動方法。
【請求項１４】  前記入力手段によって、前記画像データと共に前記ブロック選択回路に入力されるデータを受け取ることを特徴とする請求項１３に記載の記録ヘッドの駆動方法。
【請求項１５】  前記入力手段によって、前記画像データと前記ブロック選択回路に入力されるデータとを連続して受け取ることを特徴とする請求項１４に記載の記録ヘッドの駆動方法。
【請求項１６】  前記ブロック選択回路は、デコーダを含むことを特徴とする請求項１０乃至１５のいずれか１項に記載の記録ヘッドの駆動方法。
【請求項１７】  前記記録素子は、熱エネルギーを利用して記録を行うことを特徴とする請求項１０乃至１６のいずれか１項に記載の記録ヘッドの駆動方法。
【請求項１８】  前記記録素子は、インクを吐出して記録を行うことを特徴とする請求項１０乃至１７のいずれか１項に記載の記録ヘッドの駆動方法。
【手続補正３】
【補正対象書類名】明細書
【補正対象項目名】０００１
【補正方法】変更
【補正の内容】
【０００１】
【発明の属する技術分野】
本発明は記録ヘッド、及び記録ヘッドの駆動方法に関し、特に、複数の記録要素を有し、同時に駆動可能な複数の記録素子を単位とするブロックを選択して画像データに従って各記録素子を選択駆動する記録ヘッド、及び記録ヘッドの駆動方法に関するものである。
【手続補正４】
【補正対象書類名】明細書
【補正対象項目名】００２６
【補正方法】変更
【補正の内容】
【００２６】
本発明は以上のような状況に鑑みてなされたものであり、信号線や接続端子数の増大を抑えつつ画像データの転送や記録素子の駆動を高速化することのできる記録ヘッド及び該記録ヘッドの駆動方法を提供することを目的とする。
【手続補正５】
【補正対象書類名】明細書
【補正対象項目名】００２７
【補正方法】変更
【補正の内容】
【００２７】
【課題を解決するための手段】
上記目的を達成するために本発明の記録ヘッドの第１の態様は、
記録を行うための複数列に配された複数の記録素子と、
同時に駆動可能な前記複数の記録素子を単位とするブロックを選択するための選択信号を出力するブロック選択回路と、
前記選択信号と共に前記記録素子を選択駆動するための駆動信号を、画像データに対応して各記録素子に出力する前記複数列毎に対応して設けられた複数の記録制御回路と、
前記記録制御回路に入力するための画像データを外部から受け取るための入力手段とを有し、
前記入力手段は、前記複数列毎に対応しシリアル接続された複数のシフトレジスタを含み、前記画像データと前記ブロック選択回路に入力されるブロック選択データとを連続した複数ビットのバス形式で受け取るように構成されていることを特徴とする。
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】変更
【補正の内容】
【００２９】
更に、上記目的を達成する本発明の記録ヘッドの第２の態様は、
記録を行うための複数列に配された複数の記録素子と、
同時に駆動可能な前記複数の記録素子を単位とするブロックを選択するための選択信号を出力するブロック選択回路と、
前記選択信号と共に前記記録素子を選択駆動するための駆動信号を、画像データに対応して各記録素子に出力する前記複数列毎に対応して設けられた複数の記録制御回路と、
前記記録制御回路に入力するための画像データを外部から受け取るための入力手段とを有し、
前記入力手段は、前記複数列毎に対応しシリアル接続された複数のシフトレジスタを含み、前記画像データに連続して記録素子の駆動タイミングに関するデータを受け取るように構成され、前記駆動タイミングに関するデータに応じて、記録素子の駆動時間が設定されることを特徴とする。
【手続補正８】
【補正対象書類名】明細書
【補正対象項目名】００３０
【補正方法】変更
【補正の内容】
【００３０】
本発明の目的は、上記の記録ヘッドの駆動方法によっても達成される。